【事件の表示】
　特願２０１２−２７８１６２「液晶表示装置」拒絶査定不服審判事件〔平成２５年１０月　３日出願公開、特開２０１３−２００５５７〕について、次のとおり審決する。
【結　論】
　本件審判の請求は、成り立たない。
【理　由】
第１　手続の経緯
　この審判事件に係る特許出願（以下、「本願」という。）は、平成２４年（２０１２年）１２月２０日（パリ条約による優先権主張外国庁受理２０１２年（平成２４年）３月２３日、韓国）の出願であって、その手続の経緯の概略は以下のとおりである。
　平成２６年　２月１９日付け：拒絶理由の通知（同年３月４日発送）
　平成２６年　７月　４日　　：意見書、手続補正書の提出
　平成２６年　９月　９日付け：拒絶査定（同年同月１６日送達）
　平成２７年　１月１６日　　：審判請求書、手続補正書の提出
　平成２７年　２月１３日　　：前置報告
第２　補正却下の決定
［補正却下の決定の結論］
　平成２７年１月１６日に提出された手続補正書による補正（以下、「本件補正」という。）を却下する。
［理由］
１　本件補正について
（１）本件補正後の特許請求の範囲の記載
　本件補正により、特許請求の範囲の請求項１の記載は、次のとおり補正された。（下線部は補正箇所である。）
「　ガンマ設定データを格納するメモリと、
　前記メモリからガンマ設定データをロードして選択信号をガンマ電圧生成部に伝達するタイミングコントローラーと、
　前記ガンマ電圧生成部に基準電圧を供給する電源供給部と、
　前記ガンマ電圧生成部が形成されたデータドライバーと、
を含み、
　前記選択信号は、前記基準電圧の大きさを調節してガンマカーブを変更し、
　前記ガンマ電圧生成部は
複数
　前記選択信号は、前記デコーダに印加されて前記基準電圧の大きさを調節し、
　
前記デコーダのそれぞれには、３ビットの選択信号と、互いに異なる２レベルの電圧と、が入力され、
のそれぞれ
当該
当該２レベルの電圧範囲内の
値のうちの１つ値
選択された１つの値を
として
（２）本件補正前の特許請求の範囲の記載
　本件補正前の、平成２６年７月４日の手続補正による特許請求の範囲の請求項１の記載は次のとおりである。
「　ガンマ設定データを格納するメモリと、
　前記メモリからガンマ設定データをロードして選択信号をガンマ電圧生成部に伝達するタイミングコントローラーと、
　前記ガンマ電圧生成部に基準電圧を供給する電源供給部と、
　前記ガンマ電圧生成部が形成されたデータドライバーと、
を含み、
　前記選択信号は、前記基準電圧の大きさを調節してガンマカーブを変更し、
　前記ガンマ電圧生成部は多数のデコーダを含み、
　前記選択信号は、前記デコーダに印加されて前記基準電圧の大きさを調節し、
　前記デコーダは、３ビットの選択信号に基づいて、８つのガンマ基準電圧を選択し、当該選択された８つのガンマ基準電圧を出力する３to８デコーダである、液晶表示装置。」
２　本件補正の目的についての検討
　本件補正のうち、「多数のデコーダ」を「複数のデコーダ」とする点が、特許法第１７条の２第５項の各号に掲げるいずれかの事項を目的とするものであるかについて検討する。
（１）この点が、同法同条同項第１号の請求項の削除に当たらないことは明らかである。
（２）「複数のデコーダ」は「多数のデコーダ」の下位概念ではないので、この点を第２号のいわゆる限定的減縮であるということはできない。
（３）補正前の「多数のデコーダ」が、本来は「複数のデコーダ」の意であることが明らかということはできないので、この点を第３号の誤記の訂正であるということはできない。
（４）原査定において、「多数のデコーダ」が明りょうでない旨を指摘する拒絶の理由は示されていない。よって、上記の点は、第４号の明りょうでない記載の釈明（拒絶理由通知に係る拒絶の理由に示す事項についてするものに限る。）を目的とするものではない。
　したがって、本件補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
３　本件補正発明の独立特許要件についての検討
　仮に、「多数のデコーダ」を「複数のデコーダ」とする点が適法な補正であったとして、さらに検討する。
　本件補正のうち、「前記デコーダは、３ビットの選択信号に基づいて、８つのガンマ基準電圧を選択し、当該選択された８つのガンマ基準電圧を出力する３to８デコーダである」を、「前記デコーダのそれぞれには、３ビットの選択信号と、互いに異なる２レベルの電圧と、が入力され、前記デコーダのそれぞれは、当該３ビットの選択信号に基づいて、当該２レベルの電圧範囲内の８つの値のうちの１つ値を選択し、当該選択された１つの値をガンマ基準電圧として出力する３to８デコーダである」とする点は、補正前の請求項１に記載した発明を特定するために必要な事項である「デコーダ」について限定を付するものであるから、同法同条同項第２号の特許請求の範囲の減縮を目的とするものに該当する。
　そこで、本件補正後の請求項１に記載されている事項により特定される発明（以下「本件補正発明」という。）が特許出願の際独立して特許を受けることができるものであるかについて以下に検討する。
（１）本件補正発明
　本件補正後の特許請求の範囲の請求項１において、「８つの値のうちの１つ値」は「８つの値のうちの１つの値」の誤記と認められる。そこで、本件補正発明は、次のとおりであると認められる。 
「　ガンマ設定データを格納するメモリと、
　前記メモリからガンマ設定データをロードして選択信号をガンマ電圧生成部に伝達するタイミングコントローラーと、
　前記ガンマ電圧生成部に基準電圧を供給する電源供給部と、
　前記ガンマ電圧生成部が形成されたデータドライバーと、
を含み、
　前記選択信号は、前記基準電圧の大きさを調節してガンマカーブを変更し、
　前記ガンマ電圧生成部は複数のデコーダを含み、
　前記選択信号は、前記デコーダに印加されて前記基準電圧の大きさを調節し、
　前記デコーダのそれぞれには、３ビットの選択信号と、互いに異なる２レベルの電圧と、が入力され、前記デコーダのそれぞれは、当該３ビットの選択信号に基づいて、当該２レベルの電圧範囲内の８つの値のうちの１つの値を選択し、当該選択された１つの値をガンマ基準電圧として出力する３to８デコーダである、液晶表示装置。」
（２）引用文献の記載事項
ア　引用文献１
（ア）原査定の拒絶の理由で引用された、本願のパリ条約による優先権主張の基礎となる出願の出願日（以下、「優先日」という。）前に頒布された刊行物である、特開２００６−１４６１３４号公報（平成１８年６月８日出願公開。以下、「引用文献１」という。）には、図面とともに、次の記載がある。（下線は、当審が付した。）
ａ「【技術分野】
【０００１】
  本発明は、階調を示す表示データに応じた階調電圧を複数の画素が配列された表示パネルへ出力する表示装置用駆動装置に関し、例えばＴＦＴ液晶等を用いたアクティブマトリクス型の表示装置用駆動装置に係り、少ない回路規模で多様なガンマ特性の調整を可能とする駆動回路に適用して有効な技術に関する。」
ｂ「【００３５】
  まず、図１により、本実施の形態の
液晶表示装置
【００３６】
  本実施の形態の液晶表示装置における階調電圧生成部は、基準電圧を分割することによって複数の階調に対応する複数の階調電圧を生成するための階調電圧生成回路１００と、ガンマ特性の端部近傍の中間部分における階調電圧に対する階調を調整するために、基準電圧の分割点又は分割比を調整するための値を設定するためのタップ調整レジスタ１０１と、ガンマ特性の端部近傍の中間部分における複数の階調間での階調電圧の比率を調整するために、基準電圧の分割点又は分割比を調整するための値を設定するための分圧比調整レジスタ１０２と、ガンマ特性の振幅を調整するために、基準電圧の分割点又は分割比を調整するための値を設定するための振幅調整レジスタ１０３と、ガンマ特性の端部を固定してガンマ特性の中間部分の傾きを調整するために、基準電圧の分割点又は分割比を調整するための値を設定するための傾き調整レジスタ１０４と、
ガンマ特性の中間部分を階調ごとに微調整するために、基準電圧の分割点又は分割比を調整するための値を設定するための微調整レジスタ１０５
【００３７】
  
階調電圧生成回路１００は、基準電圧の接続端とグランドの接続端との間に接続された抵抗１１１〜１１６から構成される第１のラダー抵抗と、
セレクタ（ＳＥＬ）１３１〜１３６と
から構成される。
【００３８】
  この階調電圧生成回路１００の外部には、タップ調整レジスタ１０１、分圧比調整レジスタ１０２、振幅調整レジスタ１０３、傾き調整レジスタ１０４、微調整レジスタ１０５が接続されている。」
ｃ「【００４０】
  本実施の形態の液晶表示装置において、タップ調整レジスタ１０１と分圧比調整レジスタ１０２は、階調電圧生成回路１００のそれぞれのタップセレクタ１６１，１６２と、可変抵抗１７１，１７２の調整を行うための設定値を格納するものである。振幅調整レジスタ１０３は、可変抵抗１２１，１２２の抵抗値を調整するレジスタ値を格納するものである。傾き調整レジスタ１０４は、可変抵抗１２３，１２４の抵抗値を調整するレジスタ値を格納するものである。微調整レジスタ１０５は、抵抗１１１〜１１６を抵抗分割した時の
電圧レベルを選択するセレクタ１３１〜１３６
ｄ「【００４３】
  外部より入力された
基準電圧１０７は、グランド（ＧＮＤ）１０８との間で、抵抗１１１〜１１６から構成される第１のラダー抵抗により抵抗分割され、所望の階調電圧を
セレクタ１３１〜１３６の設定により生成される。
参照電圧
ｅ「【００６２】
  ここで、従来技術のガンマ特性のＳ字カーブにおける肩部分の調整は、微調整機能によって行なわれていた。この微調整機能では、階調番号―階調電圧特性のグラフ上の点２０２〜２０９を個別に垂直方向に調整可能である。この場合、特に
ガンマ特性のＳ字カーブ
ｆ「【００８０】
  また、階調電圧生成部の
セレクタ１３１〜１３６は、抵抗１１１〜１１６で抵抗分割された電圧値の中から、微調整レジスタ１０５の設定値を参照し所望の階調電圧を選択する
【００８１】
  この微調整機能の結果から得られる階調番号−階調電圧特性は、図２（ｅ）に示すように、グラフ２０１のデフォルト設定に対して、グラフ２５１は、セレクタ１３１〜１３６の選択電圧のうち基準電圧に近い値を選択した場合を示している。また、グラフ２５２は、セレクタ１３１〜１３６の選択電圧のうちＧＮＤに近い値を選択した場合を示している。以上により、階調電圧の微調整を行うことが可能となる。」
ｇ「【００８３】
  次に、図３により、前述した階調電圧生成部を搭載した、本実施の形態における液晶表示装置の構成の一例を説明する。図３は液晶表示装置を示す構成図である。
【００８４】
  本実施の形態における液晶表示装置３００は、液晶パネル３０１、液晶パネル３０１の信号線に表示データに対応した階調電圧を出力する図１の階調電圧生成部を搭載した信号線駆動回路３０２、液晶パネル３０１の走査線に走査信号を印加するための走査線駆動回路３０３、信号線駆動回路３０２と走査線駆動回路３０３に動作用電源を供給する電源回路３０４から構成される。
電源回路３０４から信号線駆動回路３０２に供給される
基準電圧
【００８５】
  この液晶表示装置３００には、液晶パネル３０１に画像を表示させるための各種処理を行うＭＰＵ（マイクロプロセッサユニット）３０５が接続されている。
【００８６】
  
信号線駆動回路３０２は、
微調整レジスタ１０５
からなる制御レジスタ３０８
階調電圧生成回路１００
を含んだ構成
【００８７】
  システムインターフェース３０６は、
ＭＰＵ３０５が出力する
インストラクション
【００８８】
  ここで、
インストラクションとは、
微調整
に関する情報も含む。
制御レジスタ３０８は、インストラクションのデータを格納し、
【００８９】
  以上より、制御レジスタ３０８の各レジスタの設定値は、外部から独立に容易に変更可能となり、ガンマ特性の各調整を容易とし、従来のガンマ特性調整機能に加え、さらにガンマ特性を示すＳ字曲線において、いわゆる肩の部分の調整範囲をより広げることが可能な機能を実現し、さらに多様な液晶パネルにおいて、正確な色再現性を実現することができる。」
（イ）引用文献１に記載された技術事項
ａ　段落００８６の記載から、「階調電圧生成回路１００が含まれた信号線駆動回路３０２」という技術事項が読み取れる。
ｂ　段落００８４の記載から、電源回路３０４は、信号線駆動回路３０２に基準電圧を供給することが分かる。
　そして、上記ａにより、信号線駆動回路３０２には階調電圧生成回路１００が含まれるところ、段落００３７の記載から、基準電圧は、階調電圧生成回路１００における第１のラダー抵抗に接続されていることが分かる。
　さらに、段落００４３の記載から、ここでの基準電圧とは、基準電圧１０７であることが分かる。
　以上のことから、「階調電圧生成回路１００に基準電圧１０７を供給する電源回路３０４」という技術事項が読み取れる。
ｃ　段落００３６の記載から、微調整レジスタ１０５は、基準電圧の分割点又は分割比を調整して、ガンマ特性を調整するための値を設定するためのものであることが分かる。段落００４３の記載から、ここでの基準電圧とは、基準電圧１０７であることが分かる。
　ここで、段落００８０の記載から、微調整レジスタ１０５に設定される値とは、微調整レジスタ１０５の設定値であることが分かる。
　また、段落００６２の記載から、ガンマ特性の調整によって、ガンマ特性のＳ字カーブが調整されることが分かる。
　以上のことから、「微調整レジスタ１０５の設定値は、基準電圧１０７の分割点又は分割比を調整してガンマ特性のＳ字カーブを調整する」という技術事項が読み取れる。
ｄ　段落００３７の記載から、階調電圧生成回路１００は、セレクタ１３１〜１３６を含む構成であることが分かる。また、図１から、階調電圧生成回路１００におけるセレクタ１３１〜１３６が六個のセレクタであることが見て取れる。
　以上のことから、「階調電圧生成回路１００は複数のセレクタ１３１〜１３６を含む」という技術事項が把握される。
ｅ　段落００４０及び００８０の記載から、セレクタ１３１〜１３６は、抵抗１１１〜１１６で抵抗分割された電圧値の中から、微調整レジスタ１０５の設定値を参照し所望の電圧レベルを選択することが分かる。
　そして、段落００４３の記載から、抵抗分割されるのは基準電圧１０７であること、及び、セレクタ１３１〜１３６から生成されるのが参照電圧であることが分かる。
　以上のことから、「セレクタ１３１〜１３６は、基準電圧１０７が抵抗分割された電圧値の中から、微調整レジスタ１０５の設定値を参照して所望の電圧レベルを選択し、参照電圧として生成するセレクタである」という技術事項が読み取れる。
ｆ　段落００８７の記載から、ＭＰＵ３０５がインストラクションを出力することが分かる。インストラクションとは、段落００８８の記載から分かるように、微調整に関する情報を含むものであって、そのデータは制御レジスタ３０８に格納される。
　ここで、段落００８６の記載から、インストラクションのうち、微調整に関する情報が格納されるのは、制御レジスタ３０８における微調整レジスタ１０５であることが分かる。
　ところで、段落００８０の記載から、微調整レジスタ１０５に格納される情報とは、微調整レジスタ１０５の設定値であることが分かる。
　そして、上記ｅで検討したように、微調整レジスタ１０５の設定値は、階調電圧生成回路１００におけるセレクタ１３１〜１３６で用いられるものである。
　以上のことから、「微調整レジスタ１０５の設定値を階調電圧生成回路１００に出力するＭＰＵ３０５」という技術事項が読み取れる。
ｇ　段落００３５の記載から、引用文献１には「液晶表示装置」について記載されていることが分かる。
　そして、上記記載の全体から、「ＭＰＵ３０５と、電源回路３０４と、信号線駆動回路３０２と、を含む液晶表示装置」という技術事項が読み取れる。
（ウ）以上の各技術事項を総合すると、引用文献１には、次の発明（以下、「引用発明１」という。）が記載されていると認められる。
「　微調整レジスタ１０５の設定値を階調電圧生成回路１００に出力するＭＰＵ３０５と、
　前記階調電圧生成回路１００に基準電圧１０７を供給する電源回路３０４と、
　前記階調電圧生成回路１００が含まれた信号線駆動回路３０２と、
を含み、
　前記微調整レジスタ１０５の設定値は、前記基準電圧１０７の分割点又は分割比を調整してガンマ特性のＳ字カーブを調整し、
　前記階調電圧生成回路１００は複数のセレクタ１３１〜１３６を含み、
　前記セレクタ１３１〜１３６は、前記基準電圧１０７が抵抗分割された電圧値の中から、前記微調整レジスタ１０５の設定値を参照して所望の電圧レベルを選択し、参照電圧として生成するセレクタである、液晶表示装置。」
イ　引用文献２
（ア）本願の優先日前に頒布された刊行物である、特開２０１０−２８６８４０号公報（平成２２年１２月２４日出願公開。以下、「引用文献２」という。）には、図面とともに、次の記載がある。（下線は、当審が付した。）
ａ「【技術分野】
【０００１】
  本発明は、平板表示装置の制御方法に関し、より詳しくは、例えば、
液晶表示装置
等の平板表示装置
ｂ「【００１８】
  まず、図１に基づいて、本発明の実施形態にかかる平板表示装置について説明する。なお、図１は、本実施形態にかかる
平板表示装置
【００１９】
  図１に示すように、本実施形態にかかる有機発光表示装置は、画素部１００と、走査駆動部２００と、データ駆動部３００と、電源供給部４００と、
タイミング制御部６００とを備える。
ｃ「【００２５】
  本実施形態の場合、
タイミング制御部６００には、
輝度制御ユニット５００が備えられる。
ｄ「【００３０】
  図２は、図１に示す輝度制御ユニット５００の一例を示す説明図である。
【００３１】
  図２を参照すると、本実施形態にかかる
輝度制御ユニット５００は、
明るさ制御部５７０とからなる。
ｅ「【００５０】
  図３は、図２に示す
明るさ制御部５７０に備えられるガンマ補正回路
【００５１】
  図３を参照して説明すると、
ガンマ補正回路は、
第１選択器６４〜第６選択器６９
を含んで動作する。
【００５２】
  
ラダー抵抗６１は、外部から供給される最上位レベル電圧ＶＨＩを基準電圧とし、
複数の階調電圧を生成する。
【００５３】
  振幅調節レジスタ６２は、第１選択器６４に３ビットのレジスタ設定値を出力し、第２選択器６５に７ビットのレジスタ設定値を出力する。このとき、設定ビット数を増加させて選択可能な階調数を増やすことができ、レジスタ設定値を変更して階調電圧を異ならせて選択することもできる。
【００５４】
  
カーブ調節レジスタ６３は、第３選択器６６〜第６選択器６９それぞれに４ビットのレジスタ設定値を出力する。
【００５５】
  レジスタ生成部５４０で生成されたレジスタ設定値のうち、上位１０ビットは振幅調節レジスタ６２に入力され、下位１０ビットはカーブ調節レジスタ６３にそれぞれ入力され、レジスタ設定値として選択される。
【００５６】
  
第１選択器６４は、
最上位階調電圧として出力する。
【００５７】
  
第２選択器６５は、
最下位階調電圧として出力する。
【００５８】
  
第３選択器６６は、第１選択器６４から出力された階調電圧と第２選択器６５から出力された階調電圧との間の電圧を複数の抵抗列を通じて複数の階調電圧に分配し、４ビットのレジスタ設定値に対応する階調電圧を選択して出力する。
【００５９】
  第４選択器６７は、第１選択器６４から出力された階調電圧と第３選択器６６から出力された階調電圧との間の電圧を複数の抵抗列を通じて分配し、４ビットのレジスタ設定値に対応する階調電圧を選択して出力する。
【００６０】
  第５選択器６８は、第１選択器６４と第４選択器６７との間の階調電圧のうち、４ビットのレジスタ設定値に対応する階調電圧を選択して出力する。
【００６１】
  第６選択器６９は、第１選択器６４と第５選択器６８との間の複数の階調電圧のうち、４ビットのレジスタ設定値に対応する階調電圧を選択して出力する。
【００６２】
  このような動作により、
カーブ調整レジスタ６３のレジスタ設定値により中間階調部分のカーブ調整を可能にし
【００６３】
  また、ガンマカーブ特性を下に凸とするためには、小さな階調を表示するほど各階調間の電位差が大きくなるように設定し、反面、
ガンマカーブ
（イ）引用文献２に記載された技術事項
ａ　段落００５６の記載から、第１選択器６４は、最上位階調電圧を出力することが分かる。
　また、段落００５７の記載から、第２選択器６５は、最下位階調電圧を出力することが分かる。
　次に、段落００５８の記載から、第３選択器６６は、第１選択器６４から出力された階調電圧と第２選択器６５から出力された階調電圧との間の電圧を複数の抵抗列を通じて複数の階調電圧に分配し、４ビットのレジスタ設定値に対応する階調電圧を選択して出力することが分かる。
　以上のことから「レジスタ設定値と、最上位階調電圧と最下位階調電圧と、が入力され、当該レジスタ設定値に基づいて、当該最上位階調電圧と最下位階調電圧との間の電圧を複数の抵抗列を通じて複数の階調電圧に分配し、レジスタ設定値に対応する階調電圧を選択して出力する選択器」という技術事項が読み取れる。
ｂ　段落０００１の記載から、引用文献２には、液晶表示装置等の平板表示装置について記載されていることが分かる。
　次に、段落００１８及び００１９の記載から、平板表示装置は、タイミング制御部６００を備えることが分かる。段落００２５の記載から、タイミング制御部６００には、輝度制御ユニット５００が備えられることが分かる。段落００３１の記載から、輝度制御ユニット５００は、明るさ制御部５７０を備えることが分かる。段落００５０の記載から、明るさ制御部５７０にはガンマ補正回路が備えられることが分かる。段落００５１の記載から、ガンマ補正回路は、第３選択器６６を含んで動作することが分かる。すなわち、平板表示装置は、第３選択器６６を備えることが分かる。
　また、段落００５４の記載から、カーブ調節レジスタ６３は、第３選択器６６にレジスタ設定値を出力することが分かる。段落００６２及び００６３の記載から、カーブ調整レジスタ６３のレジスタ設定値によりガンマカーブの調整が可能になることが分かる。すなわち、第３選択器６６は、ガンマカーブを調整するためのものであることが分かる。
　以上のことから「液晶表示装置等の平板表示装置において、ガンマカーブを調整するための選択器」という技術事項が読み取れる。
（ウ）以上の各技術事項を総合すると、引用文献２には、次の発明（以下、「引用発明２」という。）が記載されていると認められる。
「　液晶表示装置等の平板表示装置において、ガンマカーブを調整するための選択器であって、
　レジスタ設定値と、最上位階調電圧と最下位階調電圧と、が入力され、当該レジスタ設定値に基づいて、当該最上位階調電圧と最下位階調電圧との間の電圧を複数の抵抗列を通じて複数の階調電圧に分配し、レジスタ設定値に対応する階調電圧を選択して出力する選択器。」
（３）引用発明１との対比
ア　本件補正発明と引用発明１とを対比する。
（ア）引用発明１の「ガンマ特性のＳ字カーブ」は、本件補正発明の「ガンマカーブ」に相当する。
（イ）引用発明１において「ガンマ特性のＳ字カーブを調整」することは、その調整によって「ガンマ特性のＳ字カーブ」（本件補正発明の「ガンマカーブ」に相当）が変更されることになるから、本件補正発明において「ガンマカーブを変更」することに相当する。
（ウ）引用発明１の「基準電圧１０７」は、本件補正発明の「基準電圧」に相当する。
（エ）一般に、ある電圧の分割点又は分圧比を変更すれば、それによって当該電圧の大きさが変更される。つまり、当該電圧の分割点又は分圧比を調整すれば、当該電圧の大きさも調節される。
　すると、引用発明１において「基準電圧１０７の分割点又は分割比を調整」することは、本件補正発明において「基準電圧の大きさを調節」することに相当する。
（オ）引用発明１における「信号線駆動回路３０２」は、マトリクス型液晶表示装置において（引用文献１の段落０００１及び００３５の記載を参照。）、液晶パネル３０１の信号線に表示データに対応した階調電圧を出力する（引用文献１の段落００８４の記載を参照。）ものであるところ、マトリクス型液晶表示装置における液晶パネルの信号線のことを「データライン」とも称することは、技術常識である。
　一方、本件補正発明における「データドライバー」は、液晶パネルのデータラインにデータ電圧を印加するものである（本願明細書の段落００１６及び００２６の記載を参照。）。
　すると、引用発明１の「信号線駆動回路３０２」は、本件補正発明の「データドライバー」に相当する。
（カ）本件補正発明において、液晶パネルのデータラインに印加されるデータ電圧は、ガンマ電圧生成部において生成されるガンマ電圧である（本願明細書の段落００３４の記載を参照。）。
　一方、引用発明１における「階調電圧生成回路１００」は、信号線駆動回路３０２が液晶パネル３０１の信号線に出力するための階調電圧を生成するものである（引用文献１の段落００８４の記載を参照。）。すなわち、本件補正発明において「ガンマ電圧」と呼ばれるものは、引用文献１の段落００８４の文脈において「階調電圧」と呼ばれていることが分かる。
　すると、引用発明１における「階調電圧生成回路１００」は、本件補正発明の「ガンマ電圧生成部」に相当する。
（キ）上記（オ）及び（カ）により、引用発明１の「前記階調電圧生成回路１００が含まれた信号線駆動回路３０２」は、本件補正発明の「前記ガンマ電圧生成部が形成されたデータドライバー」に相当する。
（ク）引用発明１の「電源回路３０４」は、本件補正発明の「電源供給部」に相当する。
（ケ）本件補正発明において、「デコーダ」は、「ガンマ電圧生成部」において、「選択信号」によって「基準電圧の大きさを調節する」ものである。
　一方、引用発明１において、「微調整レジスタ１０５の設定値」は、基準電圧１０７の分割点又は分割比を調整するために用いられるのであるが、この調整は、「セレクタ１３１〜１３６」が「微調整レジスタ１０５の設定値」を参照することによって実行されるものである。つまり、引用発明１において、「セレクタ１３１〜１３６」は、「階調電圧生成回路１００」（本件補正発明の「ガンマ電圧生成部」に相当）において、「微調整レジスタ１０５の設定値」によって「基準電圧１０７の分割点又は分割比を調整」（本件補正発明における「基準電圧の大きさを調節」に相当）するものといえる。
　すると、引用発明１の「セレクタ１３１〜１３６」及び「微調整レジスタ１０５の設定値」は、本件補正発明の「デコーダ」及び「選択信号」に、それぞれ相当する。
（コ）引用発明１において「セレクタ１３１〜１３６」は、「微調整レジスタ１０５の設定値」を参照して所望の電圧レベルを選択するのであるから、「微調整レジスタ１０５の設定値」（本件補正発明における「選択信号」に相当）が「セレクタ１３１〜１３６」（本件補正発明における「デコーダ」に相当）に印加されることは明らかである。
　また、「微調整レジスタ１０５の設定値」は、「基準電圧１０７の分割点又は分割比を調整」（本件補正発明における「基準電圧の大きさを調節」に相当）するためのものである。
　してみると、引用発明１において「前記セレクタ１３１〜１３６は、前記基準電圧１０７が抵抗分割された電圧値の中から、前記微調整レジスタ１０５の設定値を参照して所望の電圧レベルを選択し、参照電圧として生成するセレクタである」ことは、本件補正発明において「前記選択信号は、前記デコーダに印加されて前記基準電圧の大きさを調節」することに相当する。
（サ）本件補正発明の「ガンマ基準電圧」は、「デコーダ」から出力されて、「ガンマ電圧」の生成に用いられるものである。（本願明細書の段落００４８の記載を参照。）
　一方、引用発明１の「参照電圧」は、「セレクタ１３１〜１３６」（本件補正発明の「デコーダ」に相当）で生成されて、液晶パネル３０１の信号線に出力するための「階調電圧」（本件補正発明における「ガンマ電圧」に当たるもの）の生成に用いられるものである。（引用文献１の段落００８４の記載を参照。）
　してみると、引用発明１の「参照電圧」は、本件補正発明の「ガンマ基準電圧」に相当する。
（シ）引用発明１における「セレクタ１３１〜１３６」は、「微調整レジスタ１０５の設定値」を参照するのであるから、そのそれぞれに「微調整レジスタ１０５の設定値」（本件補正発明の「選択信号」に相当）が入力されることは明らかである。
　また、引用発明１における「セレクタ１３１〜１３６」は、「微調整レジスタ１０５の設定値」を参照して所望の電圧レベルを選択し、「参照電圧」として生成するのであるが、選択するとは、複数の値のうちの１つの値を選びとることであるから、「セレクタ１３１〜１３６」のそれぞれは、「微調整レジスタ１０５の設定値」（本件補正発明の「選択信号」に相当）を参照して複数の値のうちの１つの値を選択し、当該選択された１つの値を「参照電圧」（本件補正発明の「ガンマ基準電圧」に相当）として生成するものであるといえる。
　すると、引用発明１における「前記セレクタ１３１〜１３６は、前記基準電圧１０７が抵抗分割された電圧値の中から、前記微調整レジスタ１０５の設定値を参照して所望の電圧レベルを選択し、参照電圧として生成するセレクタである」と、本件補正発明における「前記デコーダのそれぞれには、３ビットの選択信号と、互いに異なる２レベルの電圧と、が入力され、前記デコーダのそれぞれは、当該３ビットの選択信号に基づいて、当該２レベルの電圧範囲内の８つの値のうちの１つの値を選択し、当該選択された１つの値をガンマ基準電圧として出力する３to８デコーダである」とは、「前記デコーダのそれぞれには、選択信号が入力され、前記デコーダのそれぞれは、当該選択信号に基づいて、複数の値のうちの１つの値を選択し、当該選択された１つの値をガンマ基準電圧として出力するデコーダである」で共通する。
（ス）本件補正発明の「タイミングコントローラー」は、「選択信号」を「ガンマ電圧生成部」に伝達するものである。
　一方、引用発明１の「ＭＰＵ３０５」は、「微調整レジスタ１０５の設定値」（本件補正発明の「選択信号」に相当）を「階調電圧生成回路１００」（本件補正発明の「ガンマ電圧生成部」に相当）に出力するものである。ここで、「階調電圧生成回路１００」に出力される「微調整レジスタ１０５の設定値」が、「階調電圧生成回路１００」に伝達されることは技術的に明らかである。
　すると、引用発明１の「微調整レジスタ１０５の設定値を階調電圧生成回路１００に出力するＭＰＵ３０５」は、本件補正発明の「選択信号をガンマ電圧生成部に伝達するタイミングコントローラー」に相当する。
イ　以上のことから、本件補正発明と引用発明１との一致点及び相違点は、次のとおりである。
（一致点）
「　選択信号をガンマ電圧生成部に伝達するタイミングコントローラーと、
　前記ガンマ電圧生成部に基準電圧を供給する電源供給部と、
　前記ガンマ電圧生成部が形成されたデータドライバーと、
を含み、
　前記選択信号は、前記基準電圧の大きさを調節してガンマカーブを変更し、
　前記ガンマ電圧生成部は複数のデコーダを含み、
　前記選択信号は、前記デコーダに印加されて前記基準電圧の大きさを調節し、
　前記デコーダのそれぞれには、選択信号が入力され、前記デコーダのそれぞれは、当該選択信号に基づいて、複数の値のうちの１つの値を選択し、当該選択された１つの値をガンマ基準電圧として出力するデコーダである、液晶表示装置。」
（相違点１）
　本件補正発明が、ガンマ設定データを格納するメモリを有しており、タイミングコントローラーが該メモリからガンマ設定データをロードするのに対し、引用発明１はそのような構成を有するか否か明らかでない点。
（相違点２）
　本件補正発明では、「選択信号」が３ビットであり、「デコーダ」には互いに異なる２レベルの電圧が入力され、「デコーダ」は、３ビットの「選択信号」に基づいて、２レベルの電圧範囲内の８つの値のうちの１つの値を選択する３to８デコーダであるのに対し、引用発明１はそのような構成を有しない点。
（４）判断
　以下、相違点について検討する。
ア　相違点１について
　引用発明１の「ＭＰＵ３０５」は、「微調整レジスタ１０５の設定値」を含む「インストラクション」を出力するものである（引用文献１の段落００８７の記載を参照。）。「インストラクション」は、振幅調整、傾き調整、微調整、タップ調整、及び分圧比調整に関する情報、すなわち、「ガンマ特性のＳ字カーブ」（本件補正発明の「ガンマカーブ」に相当）の調整に関する情報を含むものであるから（引用文献１の段落００８８の記載を参照。）、本件補正発明の「ガンマ設定データ」に相当する。
　一般に、ＭＰＵが何らかのデータを出力する際に、そのデータを格納するメモリを設けておき、該メモリからそのデータをロードする技術は、当業者にとって周知のものである（以下、「周知技術」という。）。
　すると、引用発明１において、「インストラクション」（本件補正発明の「ガンマ設定データ」に相当）を格納するメモリを設け、「ＭＰＵ３０５」（本件補正発明の「タイミングコントローラー」に相当）が該メモリから「インストラクション」をロードするよう構成することに、格別の困難性は存しない。
イ　相違点２について
（ア）引用文献２の段落００５６の記載から、「第１選択器６４」は、３ビットのレジスタ設定値に対応する階調電圧を選択するものであることが分かる。そして、２の３乗は８であるから、３ビットのレジスタ設定値から階調電圧を選択する際の選択肢は最大で八通りであることは技術常識であり、実際、引用文献２の図３においても、「第１選択器６４」は八つの階調電圧のうちの一つを選択していることが見て取れる。すなわち、引用文献２には、３ビットのレジスタ設定値に基づいて、八つの選択肢のうちの一つを選択する構成が記載されている。
（イ）次に、引用発明２の「選択器」は、レジスタ設定値と、最上位階調電圧と最下位階調電圧と、が入力され、当該レジスタ設定値に基づいて、当該最上位階調電圧と最下位階調電圧との間の電圧を複数の抵抗列を通じて複数の階調電圧に分配し、レジスタ設定値に対応する階調電圧を選択して出力するものである。ここで、最上位階調電圧と最下位階調電圧が、互いに異なる２レベルの電圧であることは明らかである。
　この「選択器」は、ガンマカーブを調整するために複数の電圧から一つを選択するものである点で、引用発明１における「セレクタ１３１〜１３６」と共通する。また、「レジスタ設定値」は、それによって電圧を選択するためのものである点で、引用発明１における「微調整レジスタ１０５の設定値」と共通する。
（ウ）ここで、選択のためのビット数とそれに応じた電圧の分割数、すなわち選択肢の数は、当業者が必要に応じて適宜定め得る程度の設計的事項にすぎず、特に、レジスタ設定値を３ビット、選択肢を八つとした構成は、上記（ア）のとおり、引用文献２に記載されているところである。
　してみると、引用発明１における「セレクタ１３１〜１３６」のそれぞれを、引用発明２に倣って、「微調整レジスタ１０５の設定値」と、互いに異なる２レベルの電圧と、が入力され、当該「微調整レジスタ１０５の設定値」に基づいて、当該２レベルの電圧範囲内の値のうちの一つの値を選択し、その際に「微調整レジスタ１０５の設定値」を３ビット、選択肢を八つとすることは、当業者が容易になし得たことである。
　この結果、「セレクタ１３１〜１３６」（本件補正発明の「デコーダ」に相当）は、３ビットの「微調整レジスタ１０５の設定値」（本件補正発明の「選択信号」に相当）に基づいて、２レベルの電圧範囲内の８つの値のうちの１つの値を選択する３to８デコーダとなる。
ウ　そして、上記相違点を総合的に勘案しても、本件補正発明の奏する作用効果は、引用発明１，２及び周知技術の奏する作用効果から予測される範囲内のものにすぎず、格別顕著なものということはできない。
エ　したがって、本件補正発明は、引用文献１，２に記載された発明に基づいて、当業者が容易に発明をすることができたものであるから、特許法第２９条第２項の規定により、特許出願の際独立して特許を受けることができない。
４　補正却下の決定のむすび
　上記２のとおり、本件補正は、特許法第１７条の２第５項の各号に掲げるいずれの事項を目的とするものにも該当せず、同法第１７条の２第５項の規定に違反するものであるから、同法第１５９条第１項において読み替えて準用する同法第５３条第１項の規定により却下されるべきものである。
　また、本件補正が限定的減縮を目的とするものといえたとしても、本件補正発明は上記３のとおり、特許出願の際独立して特許を受けることができないものであるから、本件補正は、特許法第１７条の２第６項において準用する同法第１２６条第７項の規定に違反するものであり、同法第１５９条第１項において読み替えて準用する同法第５３条第１項の規定により却下されるべきものである。
　よって、上記補正却下の決定の結論のとおり決定する。
第３　本願発明について
１　本願発明
　平成２７年１月１６日に提出された手続補正書による補正は、上記のとおり却下されたので、本願の請求項１ないし１１に係る発明は、平成２６年７月４日に提出された手続補正書の特許請求の範囲の請求項１ないし１１に記載された事項により特定されるものであるところ、その請求項１に係る発明（以下、「本願発明」という。）は、その請求項１に記載された事項により特定される、上記第２［理由］１（２）に記載のとおりのものである。
２　原査定の拒絶の理由
　原査定の拒絶の理由は、概略、本願発明は、引用文献１，２に記載された発明に基いて、当業者が容易に発明をすることができたものであるから、特許法第２９条第２項の規定により特許を受けることができない、というものである。
３　引用文献
　原査定の拒絶の理由で引用された引用文献１，２、それらの記載事項及び引用発明１，２は、上記第２の［理由］３（２）に記載したとおりである。
４　対比及び判断
ア　本願発明は、上記第２の［理由］３で検討した本件補正発明に対して、以下の点で変更を加えたものである。
（ア）「複数のデコーダ」を「多数のデコーダ」とした点。
（イ）「前記デコーダのそれぞれには、３ビットの選択信号と、互いに異なる２レベルの電圧と、が入力され、」を削除した点。
（ウ）「前記デコーダのそれぞれは、当該３ビットの選択信号に基づいて、当該２レベルの電圧範囲内の８つの値のうちの１つの値を選択し、当該選択された１つの値をガンマ基準電圧として出力する３to８デコーダである」を「前記デコーダは、３ビットの選択信号に基づいて、８つのガンマ基準電圧を選択し、当該選択された８つのガンマ基準電圧を出力する３to８デコーダである」とした点。
イ　上記（ウ）は、実質的には、「デコーダ」が選択するものが「２レベルの電圧範囲内の８つの値のうちの１つの値」である旨の限定を削除するものである。すると、上記（イ）及び（ウ）は、いずれも本件補正発明を特定するために必要な事項である「デコーダ」についての限定を削除するものである。
　また、上記（ア）について検討すると、セレクタの数は当業者が適宜定め得る程度の設計的事項であるから、これを多数とする設計変更に格別の困難性は存しない。
ウ　上記第２の［理由］３（２）ないし（４）に記載したとおり、本件補正発明は、引用文献１，２に記載された発明に基づいて、当業者が容易に発明をすることができたものであった。
　そうすると、本件補正発明に対して、発明特定事項についての限定を削除し、さらに適宜の設計変更を加えた本願発明も、引用文献１，２に記載された発明に基づいて、当業者が容易に発明をすることができたものである。
第４　むすび
　以上のとおりであるから、本願発明は、特許法第２９条第２項の規定により特許を受けることができない。
　したがって、その余の請求項に係る発明について検討するまでもなく、本願は拒絶されるべきものである。
　よって、結論のとおり審決する。